(57)【要約】      （修正有）【課題】前面開口式の収納庫を利用して簡略容易に組み立てることができ、低価格に構成できるとともに、物品等の収納機能に加えて収納庫表面領域に大きな筆記領域を確保できるスライドボードを備えた収納庫を提供する。【解決手段】前面開口式で高さ７５０×幅８００ｍｍサイズの収納庫本体と、収納庫本体の前面開口領域における上下の端辺に沿って対向配置に取り付けた２列の平行溝を有する上レール、下レール２２と、上レール、下レール２２の２列の平行溝に、各々上辺に設けた上スライドパーツ、下辺に設けた下スライドパーツを摺接させて各々スライド可能に配置したホワイトボード仕様で高さ７００×幅４００ｍｍサイズの２枚のスライドボード１１と、２枚のスライドボード１１の左側辺部、右側辺部に各々設けた取手１５とを有する構成としたものである。【選択図】図９
0003183755.tif 000002
【実用新案登録請求の範囲】
【請求項１】
前面開口式の収納庫本体と、
前記収納庫本体の前面開口領域における上下の端辺に沿って対向配置に取り付けた上レール、下レールと、
前記上レール、下レールにより支持されスライド可能に配置したホワイトボード仕様の１枚又は２以上複数枚のスライドボードと、
を有することを特徴とするスライドボードを備えた収納庫。
【請求項２】
前面開口式の収納庫本体と、
前記収納庫本体の前面開口領域における上下の端辺に沿って対向配置に取り付けた２列の平行溝を有する上レール、下レールと、
前記上レール、下レールの２列の平行溝に各々上部、下部が嵌装されスライド可能に配置したホワイトボード仕様の２枚のスライドボードと、
を有することを特徴とするスライドボードを備えた収納庫。
【請求項３】
前面開口式で高さ７５０×幅８００ｍｍサイズの収納庫本体と、
前記収納庫本体の前面開口領域における上下の端辺に沿って対向配置に取り付けた２列の平行溝を有する上レール、下レールと、
前記上レール、下レールの２列の平行溝に、各々上辺に設けた上スライドパーツ、下辺に設けた下スライドパーツを摺接させて各々スライド可能に配置したホワイトボード仕様で高さ７００×幅４００ｍｍサイズの２枚のスライドボードと、
を有することを特徴とするスライドボードを備えた収納庫。
【請求項４】
前面開口式で高さ７５０×幅８００ｍｍサイズの収納庫本体と、
前記収納庫本体の前面開口領域における上下の端辺に沿って対向配置に取り付けた２列の平行溝を有する上レール、下レールと、
前記上レール、下レールの２列の平行溝に、各々上辺に設けた上スライドパーツ、下辺に設けた下スライドパーツを摺接させて各々スライド可能に配置したホワイトボード仕様で高さ７００×幅４００ｍｍサイズの２枚のスライドボードと、
前記２枚のスライドボードのうちの少なくとも一方の表面に設けた所望の様式からなる罫引き部と、
を有することを特徴とするスライドボードを備えた収納庫。
【請求項５】
前面開口式で高さ７５０×幅１６００ｍｍサイズの収納庫本体と、
前記収納庫本体の前面開口領域における上下の端辺に沿って対向配置に取り付けた２列の平行溝を有する上レール、下レールと、
前記上レール、下レールの２列の平行溝に、各々上辺に設けた上スライドパーツ、下辺に設けた下スライドパーツを摺接させて各々スライド可能に配置したホワイトボード仕様で高さ７００×幅８００ｍｍサイズの２枚のスライドボードと、
前記収納庫本体内に縦方向に配置した補強材と、
を有することを特徴とするスライドボードを備えた収納庫。
【請求項６】
前面開口式で高さ７５０×幅１６００ｍｍサイズの収納庫本体と、
前記収納庫本体の前面開口領域における上下の端辺に沿って対向配置に取り付けた２列の平行溝を有する上レール、下レールと、
前記上レール、下レールの２列の平行溝に、各々上辺に設けた上スライドパーツ、下辺に設けた下スライドパーツを摺接させて各々スライド可能に配置したホワイトボード仕様で高さ７００×幅８００ｍｍサイズの２枚のスライドボードと、
前記収納庫本体内に縦方向に配置した補強材と、
前記２枚のスライドボードのうちの少なくとも一方の表面に設けた所望の様式からなる罫引き部と
を有することを特徴とするスライドボードを備えた収納庫。
【請求項７】
前面開口式で高さ１８００×幅９００ｍｍサイズの収納庫本体と、
前記収納庫本体の前面開口領域における上下の端辺に沿って対向配置に取り付けた２列の平行溝を有する上レール、下レールと、
前記上レール、下レールの２列の平行溝に、各々上辺に設けた上スライドパーツ、下辺に設けた下スライドパーツを摺接させて各々スライド可能に配置したホワイトボード仕様で高さ１７５０×幅４５０ｍｍサイズの２枚のスライドボードと、
前記収納庫本体内に横方向に配置した横補強材と、
を有することを特徴とするスライドボードを備えた収納庫。
【請求項８】
前面開口式で高さ１８００×幅９００ｍｍサイズの収納庫本体と、
前記収納庫本体の前面開口領域における上下の端辺に沿って対向配置に取り付けた２列の平行溝を有する上レール、下レールと、
前記上レール、下レールの２列の平行溝に、各々上辺に設けた上スライドパーツ、下辺に設けた下スライドパーツを摺接させて各々スライド可能に配置したホワイトボード仕様で高さ１７５０×幅４５０ｍｍサイズの２枚のスライドボードと、
前記収納庫本体内に横方向に配置した横補強材と、
前記２枚のスライドボードのうちの少なくとも一方の表面に設けた所望の様式からなる罫引き部と、
を有することを特徴とするスライドボードを備えた収納庫。
【請求項９】
前面開口式で高さ７５０×幅１６００ｍｍサイズの収納庫本体と、
前記収納庫本体の前面開口領域における上下の端辺に沿って対向配置に取り付けた２列の平行溝を有する上レール、下レールと、
前記上レール、下レールの２列の平行溝に、各々上辺に設けた上スライドパーツ、下辺に設けた下スライドパーツを摺接させて各々スライド可能に配置したホワイトボード仕様で高さ７００×幅４００ｍｍサイズの４枚のスライドボードと、
前記収納庫本体内に縦方向に配置した補強材及び横方向に配置した横補強材と、
を有することを特徴とするスライドボードを備えた収納庫。
【請求項１０】
前面開口式で高さ７５０×幅１６００ｍｍサイズの収納庫本体と、
前記収納庫本体の前面開口領域における上下の端辺に沿って対向配置に取り付けた２列の平行溝を有する上レール、下レールと、
前記上レール、下レールの２列の平行溝に、各々上辺に設けた上スライドパーツ、下辺に設けた下スライドパーツを摺接させて各々スライド可能に配置したホワイトボード仕様で高さ７００×幅４００ｍｍサイズの４枚のスライドボードと、
前記収納庫本体内に縦方向に配置した補強材及び横方向に配置した横補強材と、
前記各スライドボードのうちの任意のスライドボードの表面に設けた所望の様式からなる罫引き部と、
を有することを特徴とするスライドボードを備えた収納庫。
【請求項１１】
前面開口式で高さ７５０×幅１６００ｍｍサイズの収納庫本体と、
前記収納庫本体の前面開口領域における上下の端辺に沿って対向配置に取り付けた２列の平行溝を有する上レール、下レールと、
前記上レール、下レールの２列の平行溝に、各々上辺に設けた上スライドパーツ、下辺に設けた下スライドパーツを摺接させて各々スライド可能に配置したホワイトボード仕様で高さ７００×幅５３０ｍｍサイズの３枚のスライドボードと、
前記収納庫本体内に縦方向に配置した補強材及び横方向に配置した横補強材と、
を有することを特徴とするスライドボードを備えた収納庫。
【請求項１２】
前面開口式で高さ７５０×幅１６００ｍｍサイズの収納庫本体と、
前記収納庫本体の前面開口領域における上下の端辺に沿って対向配置に取り付けた２列の平行溝を有する上レール、下レールと、
前記上レール、下レールの２列の平行溝に、各々上辺に設けた上スライドパーツ、下辺に設けた下スライドパーツを摺接させて各々スライド可能に配置したホワイトボード仕様で高さ７００×幅５３０ｍｍサイズの３枚のスライドボードと、
前記収納庫本体内に縦方向に配置した補強材及び横方向に配置した横補強材と、
前記各スライドボードのうちの少なくとも１枚のスライドボードの表面に設けた所望の様式からなる罫引き部と、
を有することを特徴とするスライドボードを備えた収納庫。
【請求項１３】
前記スライドボードの表面には、マーカーペン、イレーサーを載せるペントレイが着脱可能に取り付けられることを特徴とする請求項１〜１２のいずれかに記載のスライドボードを備えた収納庫。
【請求項１４】
前記スライドボードは、施錠又は解錠する鍵を備えることを特徴とする請求項１〜１３のいずれかに記載のスライドボードを備えた収納庫。
【請求項１５】
収納庫本体は、スチール製であることを特徴とする請求項１〜１４のいずれかに記載のスライドボードを備えた収納庫。
【請求項１６】
前記スライドボードは、取手を具備するものであることを特徴とする請求項１〜１５のいずれかに記載のスライドボードを備えた収納庫。
【考案の詳細な説明】
【技術分野】
【０００１】
本考案は、物品等の収納機能に加えて収納庫表面領域に筆記領域を確保できるようにしたスライドボードを備えた収納庫に関するものである。
【背景技術】
【０００２】
従来のスライドボードを備えた収納庫（又は収納家具）は、例えば、既存のＷ８００〜９００ｍｍの収納庫を２台から６台連結するレールを後付し、そのレール上を複数枚のスライドボードがスライドするように構成したものが多い。
【０００３】
このような従来のスライドボードを備えた収納庫の場合、既存の収納庫を２台以上連結させるために、収納庫に対して格別の加工が必要となる。
【０００４】
例えば、収納庫にレール取付のためのネジ孔を穿設したり、上下のレールを平行配置に、かつ、定められた寸法で取り付けなければならない等である。
【０００５】
また、連結する２台以上の収納庫の配置は、平滑な床に、かつ、床と平行配置で同一高さとする等煩雑な作業も必要となる。
【０００６】
この結果、従来のスライドボードを備えた収納庫は、組立が難しく、専門業者でなければその取付が困難であり、取付作業費も必要で全体として高価格となってしまう。
【０００７】
特許文献１には、前面開口型の家具（例えば左右幅９００ｍｍの２連構成）の前面における下部、上部に各々取り付ける下レール体、上レール体と、この下レール体、上レール体により、
家具１００の前面において左右にスライド可能に支持されたホワイトボード仕様の一対の前スライド板、後スライド板と、これら前スライド板、後スライド板を家具１００の前面を閉塞する状態にスライドさせたとき重合する前記前スライド板、後スライド板の端部同士にわたるように取り付けた施錠機構部とを有するスライドボード装置が開示されている。
【０００８】
しかしながら、特許文献１のスライドボード装置の場合、家具の前面における下部、上部に、各々取り付け片を介して下レール体、上レール体を取り付ける構造であり、家具の前面における下部、上部に、下レール体、上レール体を上下平行配置に正確に取り付けるためのネジ孔を正確に穿設する加工等は難しさを伴うものであった。
【先行技術文献】
【特許文献】
【０００９】
【特許文献１】登録実用新案第３１１６９９６号公報
【考案の概要】
【考案が解決しようとする課題】
【００１０】
本考案が解決しようとする問題点は、前面開口式の収納庫を利用して熟練を要することなく簡略容易に組み立てることができ、低価格に構成できるとともに、物品等の収納機能に加えて収納庫表面領域に利用価値の大きい筆記領域を確保できるようなスライドボードを備えた収納庫が存在しない点である。
【課題を解決するための手段】
【００１１】
本考案は、前面開口式で例えばスチール製の収納庫本体と、前記収納庫本体の前面開口領域の上下の端辺に沿って対向配置に取り付けた２列の平行溝を有する上レール、下レールと、前記上レール、下レールの２列の平行溝に各々上部、下部が嵌装されスライド可能に配置したホワイトボード仕様の１枚又は２以上複数枚のスライドボードと、を有することを最も主要な特徴とする。
【考案の効果】
【００１２】
請求項１記載の考案によれば、前面開口式の収納庫本体における前面開口領域の上下の端辺に沿って対向配置に上レール、下レール取り付け、上レール、下レールによりホワイトボード仕様のスライドボードをスライド可能支持した構成としたので、前面開口式の収納庫を利用して熟練を要することなく簡略容易に組み立てることができ、低価格に構成できるとともに、物品等の収納機能に加えて収納庫表面領域に利用価値の大きい筆記領域を確保できるスライドボードを備えた収納庫を実現し提供することができる。
【００１３】
請求項２記載の考案によれば、前面開口式の収納庫本体における前面開口領域の上下の端辺に沿って対向配置に２列の平行溝を有する上レール、下レールを取り付け、上レール、下レールによりホワイトボード仕様のスライドボードをスライド可能支持した構成としたので、請求項１記載の考案と同様、前面開口式の収納庫を利用して熟練を要することなく簡略容易に組み立てることができ、低価格に構成できるとともに、物品等の収納機能に加えて収納庫表面領域に利用価値の大きい筆記領域を確保できるスライドボードを備えた収納庫を実現し提供することができる。
【００１４】
請求項３記載の考案によれば、前面開口式で高さ７５０×幅８００ｍｍサイズの収納庫本体における前面開口領域の上下の端辺に沿って対向配置に２列の平行溝を有する上レール、下レールを取り付け、上レール、下レールの２列の平行溝に、ホワイトボード仕様で高さ７００×幅４００ｍｍサイズの２枚のスライドボードの上辺に設けた上スライドパーツ、下辺に設けた下スライドパーツを摺接させて、これら２枚のスライドボードを各々スライド可能に支持する構成としたので、前面開口式の収納庫本体２を利用して熟練を要することなく簡略容易に組み立てることができ、低価格に構成できるとともに、物品等の収納機能に加えて収納庫表面領域に左右のスライドボードによる利用価値の大きい筆記領域を確保できるスライドボードを備えた収納庫を実現し提供することができる。
【００１５】
請求項４記載の考案によれば、請求項３記載の考案と同様な効果を奏し、かつ、スライドボードの表面に業務内容、目的に対応した種々の様式の罫引き部を設けることによって、罫引き部領域を会社業務の遂行等に有効活用でき、業績向上等に資することができるスライドボードを備えた収納庫を実現し提供することができる。
【００１６】
請求項５記載の考案によれば、請求項３記載の考案と同様な効果を奏し、かつ、収納庫を高さ７５０×幅１６００ｍｍサイズの横長とし、かつ、左右のスライドボードのサイズを各々高さ７００×幅８００ｍｍサイズの横長としているので、左右のスライドボードによって横長で広面積の筆記面を確保することが可能なスライドボードを備えた収納庫を実現し提供することができる。
【００１７】
請求項６記載の考案によれば、請求項５記載の考案と同様な効果を奏し、かつ、スライドボードの表面に業務内容、目的に対応した種々の様式の罫引き部を設けることによって、罫引き部領域を会社業務の遂行等に有効活用でき、業績向上等に資することができるスライドボードを備えた収納庫を実現し提供することができる。
【００１８】
請求項７記載の考案によれば、請求項３記載の考案と同様な効果を奏し、かつ、収納本体を縦長とし、左右のスライドボードのサイズを各々高さ１７５０×幅４５０ｍｍサイズと縦長としているので、縦長の床置式の構造の基に、床面からの高さ１８００ｍｍ付近の位置から床面近くまでの縦長で広面積の筆記面を確保することが可能なスライドボードを備えた収納庫を実現し提供することができる。
【００１９】
請求項８記載の考案によれば、請求項７記載の考案と同様な効果を奏し、かつ、スライドボードの表面に業務内容、目的に対応した種々の様式の罫引き部を設けることによって、罫引き部領域を会社業務の遂行等に有効活用でき、業績向上等に資することができるスライドボードを備えた収納庫を実現し提供することができる。
【００２０】
請求項９記載の考案によれば、請求項３記載の考案と同様な効果を奏し、かつ、収納庫本体を横長とし、スライドボードを高さ７００×幅４００ｍｍサイズの４枚構成としているので、各スライドボードの表面に横長で広面積の筆記面を確保することが可能なスライドボードを備えた収納庫を実現し提供することができる。
【００２１】
請求項１０記載の考案によれば、請求項９記載の考案と同様な効果を奏し、かつ、スライドボードの表面に業務内容、目的に対応した種々の様式の罫引き部を設けることによって、罫引き部領域を会社業務の遂行等に有効活用でき、業績向上等に資することができるスライドボードを備えた収納庫を実現し提供することができる。
【００２２】
請求項１１記載の考案によれば、請求項３記載の考案と同様な効果を奏し、かつ、収納庫本体を横長とし、スライドボードを高さ７００×幅５３０ｍｍサイズの３枚構成としているので、各スライドボードの表面に横長で広面積の筆記面を確保することが可能なスライドボードを備えた収納庫を実現し提供することができる。
【００２３】
請求項１２記載の考案によれば、請求項１１記載の考案と同様な効果を奏し、かつ、スライドボードの表面に業務内容、目的に対応した種々の様式の罫引き部を設けることによって、罫引き部領域を会社業務の遂行等に有効活用でき、業績向上等に資することができるスライドボードを備えた収納庫を実現し提供することができる。
【００２４】
請求項１３記載の考案によれば、請求項１〜１２のいずれかに記載の考案において、スライドボードの表面にマーカーペン、イレーサーを載せるペントレイを着脱可能とする構成を付加しているので、請求項１〜１２のいずれかに記載の考案の効果を奏し、かつ、スライドボードの領域を直ちに業務に必要な各種文字情報の記載領域として有効利用することが可能となるスライドボードを備えた収納庫を実現し提供することができる。
【００２５】
請求項１４記載の考案によれば、請求項１〜１３のいずれかに記載の考案において、スライドボードを施錠又は解錠する鍵を備える構成を付加しているので、請求項１〜１３のいずれかに記載の考案の効果を奏し、かつ、収納庫本体内の収納物品のセキリュリティー性確保を図ることが可能なスライドボードを備えた収納庫を実現し提供することができる。
請求項１５記載の考案によれば、請求項１〜１４のいずれかに記載の考案において、収納庫本体をスチール製構成として請求項１〜１４のいずれかに記載の考案の効果を奏することができるスライドボードを備えた収納庫を実現し提供できる。
請求項１６記載の考案によれば、請求項１〜１５のいずれかに記載の考案において、スライドボードに取手を具備する構成として請求項１〜１５のいずれかに記載の考案の効果を奏することができるスライドボードを備えた収納庫を実現し提供できる。
【図面の簡単な説明】
【００２６】
【図１】図１は本考案の実施例１に係るスライドボードを備えた収納庫の概略斜視図である。
【図２】図２は本実施例１に係る収納庫における左用のスライドボードの正面図である。
【図３】図３は本実施例１に係る収納庫における左用のスライドボードの部分拡大図である。
【図４】図４は本実施例１に係る収納庫における左用のスライドボードの部分側面図である。
【図５】図５は本実施例１に係る収納庫における左用のスライドボードに対する上部スライドパーツの取り付け態様を示す説明図である。
【図６】図６は図３のＡ−Ａ線断面図である。
【図７】図７は本実施例１に係る収納庫における収納庫本体に対する上レール、下レールの取り付け工程を示す説明図である。
【図８】図８は本実施例１に係る収納庫における収納庫本体に対する左右のスライドボードの組み込み工程を示す説明図である。
【図９】図９は本考案の実施例１の変形例に係るスライドボードを備えた収納庫の概略斜視図である。
【図１０】図１０は本考案の実施例２に係るスライドボードを備えた収納庫の概略斜視図である。
【図１１】図１１は本実施例２の変形例に係るスライドボードを備えた収納庫の概略斜視図である。
【図１２】図１２は本実施例２に係るスライドボードを備えた収納庫における鍵を示す概略斜視図である。
【図１３】図１３は本考案の実施例３に係るスライドボードを備えた収納庫の概略斜視図である。
【図１４】図１４は本考案の実施例３の変形例に係るスライドボードを備えた収納庫の概略斜視図である。
【図１５】図１５は本考案の実施例４に係るスライドボードを備えた収納庫の概略斜視図である。
【図１６】図１６は本考案の実施例４に係るスライドボードを備えた収納庫のスライドボードをスライドさせた状態の概略斜視図である。
【図１７】図１７は本考案の実施例５に係るスライドボードを備えた収納庫の概略斜視図である。
【図１８】図１８は本考案の実施例５の変形例に係るスライドボードを備えた収納庫の概略斜視図である。
【考案を実施するための形態】
【００２７】
本考案は、前面開口式の収納庫を利用して熟練を要することなく簡略容易に組み立てることができ、低価格に構成できるとともに、物品等の収納機能に加えて収納庫表面領域に利用価値の大きい筆記領域を確保できるスライドボードを備えた収納庫を提供するという目的を、前面開口式で例えばスチール製で高さ７５０×幅８００ｍｍサイズの収納庫本体と、前記収納庫本体の前面開口領域における上下の端辺に沿って対向配置に取り付けた２列の平行溝を有する上レール、下レールと、前記上レール、下レールの２列の平行溝に、各々上辺に設けた上スライドパーツ、下辺に設けた下スライドパーツを摺接させて各々スライド可能に配置したホワイトボード仕様で高さ７００×幅４００ｍｍサイズの２枚のスライドボードと、を有する構成により実現した。
【実施例】
【００２８】
以下、本考案の実施例に係るスライドボードを備えた収納庫について図面を参照して詳細に説明する。
【００２９】
（実施例１）
本考案の実施例１に係るスライドボード１１を備えた収納庫１について、図１〜図９を参照して説明する。
【００３０】
本実施例１に係るスライドボード１１を備えた収納庫１は、図１に例示すように、例えばＨ７５０×Ｗ８００ｍｍサイズであり、例えばスチール製からなり前面開口構造で、内部に各種物品の収納領域を形成している略直方体状の収納庫本体２と、この収納庫本体２の前面開口領域に対して各々左右にスライド可能に取り付けた左用のスライドボード１１及び右用のスライドボード１１と、必要に応じて、前記右用のスライドボード１１の例えば表面下部に両面テープやマグネットを利用して取り付けるペントレイ３とを有している。
本考案においては、収納庫本体の材質をスチール製に限定するものではなく、この他の各種材質、例えば、木製、樹脂製等の収納庫本体でも良いことは勿論である。
【００３１】
前記収納庫本体２のＨ７５０×Ｗ８００ｍｍは、一般的に広く使われる単体仕様の収納庫のサイズの１つである。
【００３２】
前記ペントレイ３は、例えばＰＶＣ，ＡＢＳ、アルミニウム等の素材を用いて形成したものである。
【００３３】
前記ペントレイ３上にはマーカーペン４、イレーザー５等が載置される。
【００３４】
前記マーカーペン４は水性インクを使うものが主であり、水性インクの色は黒、赤、青が主なものである。
【００３５】
前記イレーザー５は、主に柔らかい芯にフェルト布を巻き付けて字を消し易くしたものが使用される。
【００３６】
次に、本実施例１の左用のスライドボード１１の全体構造について図２〜図６を参照して詳述する。
【００３７】
図２は左用のスライドボード１１の正面を示し、図３は左用のスライドボード１１の部分拡大状態を示し、図４は左用のスライドボード１１の部分側面を示し、図５は左用のスライドボード１１に対する上部スライドパーツ１６の取り付け態様を示し、図６は、図３のＡ−Ａ線断面を示すものである。
【００３８】
本実施例１の左用のスライドボード１１のサイズは、図２に示すように、例えばＨａ７００×Ｗａ４００ｍｍであり、また、右用のスライドボード１１のサイズも同様に例えばＨａ７００×Ｗａ４００ｍｍであり、左右２枚構造としている。
但し、収納庫１に取り付けられるスライドボードは、図示例のように、左右２枚構造の他、前面開口構造の収納庫１におけるいずれか一方の開口位置にスライドボード１枚を配置し、他の一方の開口部分は通常の扉（図示せず）として構成しても良い。
【００３９】
本実施例１の左用のスライドボード１１は、図６に示すように、プラダン、合成樹脂材又は鉄材等からなる平板状の芯材１２ａの表面にエナメルや鉄材等により形成した表面材１２ｂをコーティングし、裏面には薄い鉄板などからなる裏面材１２ｃを貼り付け、ホワイトボード仕様としたスライドボード本体１２の上下、左右の各辺に各隅部を除くようにして例えばアルミニウム材からなる枠材１３を添着するとともに、スライドボード本体１２の四箇所の隅部に各々例えばＡＢＳ樹脂材により形成したコーナーパーツ１４を装着している。
【００４０】
前記枠材１３は、図６に示すように、固定ネジ１８を用いてスライドボード本体１２の裏面側において、このスライドボード本体１２に固定ネジ１８を用いてねじ止め固定される。
また、左用のスライドボード１１の図２において左辺中央部には、スライド操作用の取手（船底取手）１５をビス止め等により配置している。
【００４１】
同様に、右用のスライドボード１１の右辺中央部には、図１に示すように、スライド操作用の取手（船底取手）１５をビス止め等により配置している。
【００４２】
前記取手１５は接着剤や両面テープを使用してスライドボード１１に取り付けることももちろん可能である。
【００４３】
更に、本実施例１の左用のスライドボード１１は、図２に示すように、その上辺及び下辺の両隅部近傍に、各々ジュラコン等の滑動性の良好な樹脂からなり端面１６ａ、１７ａを円弧状又は楕円弧状に形成した上部スライドパーツ１６、下部スライドパーツ１７を各々２個ずつ取り付けている。
【００４４】
左用のスライドボード１１に対する前記上部スライドパーツ１６の取り付け構造について、図３、図５及び図６を参照して説明する。
【００４５】
左用のスライドボード１１の上辺に上部スライドパーツ１６を取り付けるには、図５に示すように、コーナーパーツ１４が未装着の状態で、上部スライドパーツ１６を上辺側の枠材１３にスライドさせつつ所定位置まで挿入する。
【００４６】
そして、前記上部スライドパーツ１６における端面１６ａ両側に形成した貫通孔付き突出部１６ｂ、１６ｂと、枠材１３に予め穿設した抜孔１３ａ、１３ａとを位置合わせを行い、２個の固定ネジ１８、１８を貫通孔付き突出部１６ｂ、１６ｂの各貫通孔、枠材１３の抜孔１３ａ、１３ａを経て各々芯材１２ａの上辺にねじ込むことにより、左用のスライドボード１１の上辺に固着する、
【００４７】
この後、コーナーパーツ１４をスライドボード本体１２の隅部に装着する。
下部スライドパーツ１７の左用のスライドボード１１の下辺に対する取り付け構造も上述した場合と同様である。
【００４８】
また、右用のスライドボード１１に対する上部スライドパーツ１６、下部スライドパーツ１７の取り付け態様も上述した場合と同様である。
【００４９】
なお、前記上部スライドパーツ１６、下部スライドパーツ１７は、接着剤や両面テープを用いてスライドボード１１に固着するようにすることもできる。
【００５０】
また、前記上部スライドパーツ１６、下部スライドパーツ１７は上述した場合の他、スムースに動作するためにローラー方式とすることもできる。
【００５１】
前記スライドボード１１のサイズは、例えばＨａ７００×Ｗａ４００ｍｍである。
【００５２】
次に、図７、図８を参照して、前記収納庫本体２の前面開口領域に対する左用のスライドボード１１及び右用のスライドボード１１の取り付け構造について説明する。
【００５３】
まず、図７に示すように、前記収納庫本体２の前面開口領域を形成する上下の枠板２ａ、２ｂの前面側端辺に沿って奥の溝、手前の溝からなる２列の溝を平行に形成した上レール２１、下レール２２を各々ビスで固定する。なお、上下の枠板２ａ、２ｂにはビス穴を予め穿設しているものとする。
【００５４】
次に、図８に示すように、左用のスライドボード１１の上部を傾けつつその上部を上レール２１の奥の溝に入れ、更に、左用のスライドボード１１を略垂直状態に直しつつその下部を下レール２２の奥の溝に入れ、ケンドン式で左用のスライドボード１１を上レール２１、下レール２２間に取り付ける。
【００５５】
ここに、ケンドン式とは、戸、扉等の嵌め込み方式の一つであり、戸、扉等を上げ落とし方式でレール等に建て込む方式を言う。
【００５６】
次に、右用のスライドボード１１も左用のスライドボード１１と同様にして、上レール２１、下レール２２の手前の各溝間に取り付ける。
【００５７】
そして、左用のスライドボード１１及び右用のスライドボード１１の左右のスライド状態を各々確認する。
【００５８】
以上により、左用のスライドボード１１及び右用のスライドボード１１の前記収納庫本体２の前面開口領域に対する建て込みが終了する。
【００５９】
本実施例１の収納庫１においては、左右のスライドボード１１、１１が重なり合う部分に、実施例２として示す図１２のように、セキュリティーのため錠３２及び鍵３３を配置する構成とすることで、収納庫１内の物品保管の安全性を向上できる。
本実施例１に係るスライドボード１１を備えた収納庫１によれば、前面開口式の収納庫本体２を利用して熟練を要することなく簡略容易に組み立てることができ、低価格に構成できるとともに、物品等の収納機能に加えて収納庫表面領域に左右のスライドボード１１、１１による利用価値の大きい筆記領域を確保できるスライドボード１１を備えた収納庫１を提供することができる。
【００６０】
すなわち、収納庫本体２に対する上レール２１、下レール２２の取り付けは簡略容易であり、また、スライドボード１１に対する上部スライドパーツ１６、下部スライドパーツ１７の取り付けも簡略容易であり、更に、左右のスライドボード１１、１１の収納庫本体２に対する建て込みも何人も容易に行うことができ、全体として熟練を要することなく本実施例１のスライドボード１１を備えた収納庫１を容易に組み立てることができ、低価格な構成とすることができる。
【００６１】
また、マーカーペン４、イレーザー５を載せたペントレイ３を含む構成とすれば、この収納庫１の左右のスライドボード１１、１１の領域を直ちに業務に必要な各種文字情報の記載領域として有効利用することができる。
【００６２】
次に、図９を参照して実施例１の変形例であるスライドボード１１を備えた収納庫１Ａについて説明する。
【００６３】
なお、図９に示す変形例のスライドボード１１を備えた収納庫１Ａにおいて、実施例１のスライドボード１１を備えた収納庫１の場合と同一の要素には同一の符号を付し、その詳細説明は省略する。
【００６４】
図９に示す変形例のスライドボード１１を備えた収納庫１Ａは、実施例１のスライドボード１１を備えた収納庫１の構成に加えて、右用のスライドボード１１の表面に例えば社員等の１日の行動予定表用の罫引き部２３を施したことが特徴である。
【００６５】
前記罫引き部２３の書式としては、行動予定表、月予定表、社員の出勤表、オリジナル書式等、業務内容、目的に対応した種々の形態を採用することが可能であり、特に限定するものではない、
【００６６】
変形例の収納庫１Ａにおいても、左右のスライドボード１１、１１が重なり合う部分に、実施例２として示す図１２のように、セキュリティーのため錠３２及び鍵３３を配置する構成とすることもできる。
【００６７】
変形例の収納庫１Ａの組み立て工程は、実施例１の収納庫１の場合と同様である。
【００６８】
変形例に係るスライドボード１１を備えた収納庫１Ａによれば、実施例１のスライドボード１１を備えた収納庫１の場合と同様な効果を奏するとともに、前記罫引き部２３に業務内容、目的に対応した種々の様式を記する構成とすることにより、会社業務等の円滑遂行に資することができる。
【００６９】
（実施例２）
本考案の実施例２に係るスライドボード１１を備えた収納庫１Ｂ及びその変形例である収納庫１Ｃについて、図１０、図１１及び図１２を参照して説明する。
【００７０】
図１０に示す本実施例２に係るスライドボード１１を備えた収納庫１Ｂにおいて、実施例１の収納庫１の場合と同一の要素には同一の符号を付して示す。
【００７１】
本実施例２に係るスライドボード１１を備えた収納庫１Ｂは、基本的には実施例１の収納庫１の場合と同様な構成であるが、収納庫１Ｂを例えばＨ７５０×Ｗ１６００ｍｍサイズの横長とし、一般的に広く使用されているＨ７５０×Ｗ８００ｍｍの収納庫を２連にしたサイズと同等としたこと、左右のスライドボード１１、１１のサイズを各々Ｈｂ７００×Ｗｂ８００ｍｍサイズとし一般的に広く使用されているスライドボードのサイズと同等としたことが特徴である。
【００７２】
実施例１の収納庫１のサイズでは、スライドボード１１の１枚あたりがＷａ４００ｍｍと一般的なスライドボードの１／２程度であるが、本実施例２のスライドボード１１ではＷｂ８００ｍｍとし、一般的に広く使用されているものと同等としたものである。
【００７３】
また、本実施例２においては、収納庫１Ｂの横幅がＷ１６００ｍｍと長いため、収納庫１Ｂの内部中央部付近に、収納庫１Ｂ自体の構造補強のために縦方向に平板状の補強材３１を取り付けている。
【００７４】
更に、本実施例２においては左右のスライドボード１１、１１が重なり合う部分に、図１２に拡大して示すように、セキュリティーのため錠３２及び鍵３３を配置する構成としている。
【００７５】
本実施例２においても、実施例１の場合と同様なペントレイ３、取手１５を備えている。
【００７６】
本実施例２の収納庫１Ｂの組み立て工程は、実施例１の収納庫１の場合と同様である。
【００７７】
本実施例２に係るスライドボード１１を備えた収納庫１Ｂによれば、実施例１に係るスライドボード１１を備えた収納庫１の場合と同様な効果を発揮するとともに、収納庫１Ｂを例えばＨ７５０×Ｗ１６００ｍｍサイズの横長とし、かつ、左右のスライドボード１１、１１のサイズを各々Ｈｂ７００×Ｗｂ８００ｍｍサイズの横長としているので、この収納庫１Ｂを例えばオフィス用のキャビネットタイプの収納庫の上に載せるような使用態様の基に、左右のスライドボード１１、１１によって横長で広面積の筆記面を確保することが可能となる。
【００７８】
また、構造補強のための縦方向の補強材３１を備えることから収納庫１Ｂ自体を頑強な構造とすることができる。
【００７９】
図１１は、実施例２の変形例であるスライドボード１１を備えた収納庫１Ｃを示すものであり、この収納庫１Ｃは実施例２の収納庫１Ｂと同様な構成であるが、実施例２の収納庫１Ｂの構成に加えて、右用のスライドボード１１の表面に例えば社員等の１日の行動予定表用の罫引き部２３を施したことが特徴である。
【００８０】
この収納庫１Ｃにおいても、実施例１の場合と同様なペントレイ３、取手１５を備えている。
【００８１】
また、収納庫１Ｃの組み立て工程も、実施例１の収納庫１の場合と同様である。
【００８２】
変形例の収納庫１Ｃによれば、実施例２に係るスライドボード１１を備えた収納庫１Ｂの場合と同様な効果を発揮するとともに、前記罫引き部２３に業務内容、目的に対応した種々の様式を記する構成とすることにより、会社業務等の円滑遂行に資することができる。
【００８３】
（実施例３）
本考案の実施例３に係るスライドボード１１を備えた収納庫１Ｄ及びその変形例である収納庫１Ｅについて、図１３、図１４を参照して説明する。
【００８４】
図１３に示す本実施例３に係るスライドボード１１を備えた収納庫１Ｄにおいて、実施例１の収納庫１の場合と同一の要素には同一の符号を付して示す。
【００８５】
本実施例３に係るスライドボード１１を備えた収納庫１Ｄは、基本的構成は実施例１の収納庫１の場合と同様であるが、収納庫１Ｄを例えばＨ１８００×Ｗ９００ｍｍサイズの縦長とし一般的に広く使用されている床置式の収納庫と同等としたこと、左右のスライドボード１１、１１のサイズを各々Ｈｃ１７５０×Ｗｃ４５０ｍｍサイズとしたことが特徴である。
【００８６】
本実施例３の収納庫１Ｄの場合も実施例１の場合と同様なペントレイ３、取手１５を備える構成とすることができる。
【００８７】
また、図１２に示すように、セキュリティーのため錠３２及び鍵３３を配置する構成とすることもできる。
【００８８】
更に、本実施例３の収納庫１Ｄにおいては、収納庫１Ｄの内部に例えば４枚の横補強材３４を所定の間隔で配置している。
【００８９】
本実施例３の収納庫１Ｄの組み立て工程は、実施例１の収納庫１の場合と同様である。
【００９０】
本実施例３に係るスライドボード１１を備えた収納庫１Ｄによれば、実施例１に係るスライドボード１１を備えた収納庫１の場合と同様な効果を発揮するとともに、左右のスライドボード１１、１１のサイズを各々Ｈｃ１７５０×Ｗｃ４５０ｍｍサイズと縦長としているので、縦長の床置式の構造の基に、床面からの高さ１８００ｍｍ付近の位置から床面近くまでの縦長で広面積の筆記面を確保することが可能となる。
【００９１】
また、収納庫１Ｄ内に４枚の横補強材３４を備えることから、収納庫１Ｄ自体を頑強な構造とし、かつ、物品収納の便宜を図ることができる。
【００９２】
図１４は本実施例３の変形例である収納庫１Ｅを示すものであり、この収納庫１Ｅは実施例３の収納庫１Ｄと同様な構成であるが、実施例３の収納庫１Ｄの構成に加えて、右用のスライドボード１１の表面に例えば社員等の１日の行動予定表用の罫引き部２３を施したことが特徴である。
【００９３】
この収納庫１Ｅにおいても、実施例３の場合と同様なペントレイ３、取手１５を備えている。
【００９４】
また、図１２に示すように、セキュリティーのため錠３２及び鍵３３を配置する構成とすることもできる。
【００９５】
変形例の収納庫１Ｅの組み立て工程は、実施例１の収納庫１の場合と同様である。
変形例に係るスライドボード１１を備えた収納庫１Ｅによれば、実施例３に係るスライドボード１１を備えた収納庫１Ｄの場合と同様な効果を奏するとともに、前記罫引き部２３に業務内容、目的に対応した種々の様式を記する構成とすることにより、会社業務等の円滑遂行に資することができる。
【００９６】
（実施例４）
本考案の実施例４に係るスライドボード１１を備えた収納庫１Ｆについて、図１５、図１６を参照して説明する。
【００９７】
図１５、図１６に示す本実施例４に係るスライドボード１１を備えた収納庫１Ｆにおいて、実施例１の収納庫１の場合と同一の要素には同一の符号を付して示す。
【００９８】
本実施例４に係るスライドボード１１を備えた収納庫Ｆは、基本的構成は実施例１の収納庫１の場合と同様であるが、図１５に示すように、収納庫１Ｆを例えばＨ７５０×Ｗ１６００ｍｍサイズの横長とし、一般的に広く使用されている例えばＨ７５０×Ｗ８００ｍｍサイズの収納庫２連としたものと同等としたこと、スライドボード１１をＨｄ７００×Ｗｄ４００ｍｍサイズの４枚構成としたことが特徴である。
【００９９】
本実施例４の収納庫１Ｆの場合も実施例１の場合と同様なペントレイ３、取手１５を備える構成とすることができる。
【０１００】
また、図１２に示すように、セキュリティーのため錠３２及び鍵３３を配置する構成とすることもできる。
【０１０１】
更に、本実施例４においては、収納庫１Ｆの横幅がＷ１６００ｍｍと長いため、図１６に示すように、収納庫１Ｆの内部中央部付近に、収納庫１Ｆ自体の構造補強のために縦方向に平板状の補強材３１を取り付けるとともに、高さ方向中央部に左右一枚ずつの横補強材３４を配置している。
【０１０２】
本実施例４の収納庫１Ｆの場合においても、実施例１の場合と同様なペントレイ３、取手１５を備える構成とすることもできる。
【０１０３】
また、図１２に示すように、セキュリティーのため錠３２及び鍵３３を配置する構成とすることもできる。
【０１０４】
更に、４枚のスライドボード１１のうちの例えば２枚に、既述した場合と同様な例えば社員等の１日の行動予定表用の罫引き部２３を施した構成とすることもできる。
なお、収納庫１Ｆの組み立て工程は、実施例１の収納庫１の場合と同様である。
【０１０５】
本実施例４の収納庫１Ｆによれば、実施例１の収納庫１の場合と同様な効果を発揮させることができる。
【０１０６】
また、収納庫１Ｆを例えばオフィス用のキャビネットタイプの収納庫の上に載せるような使用態様の基に、４枚のスライドボード１１によって横長で広面積の筆記面を確保することが可能となる。
【０１０７】
更に、補強材３１、横補強材３４を備えることから、収納庫１Ｆ自体を頑強な構造とし、かつ、物品収納の便宜を図ることができる。
【０１０８】
更にまた、前記罫引き部２３を付加した構成とした場合には、業務内容、目的に対応した種々の様式を記することにより、会社業務等の円滑遂行に資することができる。
【０１０９】
（実施例５）
本考案の実施例５に係るスライドボード１１を備えた収納庫１Ｇ及びその変形例である収納庫１Ｈについて、図１７、図１８を参照して説明する。
【０１１０】
図１７に示す本実施例５に係るスライドボード１１を備えた収納庫１Ｇにおいて、実施例１の収納庫１の場合と同一の要素には同一の符号を付して示す。
【０１１１】
本実施例５に係るスライドボード１１を備えた収納庫１Ｇは、基本的構成は実施例１の収納庫１の場合と同様であるが、収納庫１Ｇを例えばＨ７５０×Ｗ１６００ｍｍサイズの横長とし一般的に広く使用されているＨ７５０×Ｗ８００ｍｍサイズの収納庫を２連にしたものと同等なものとしたこと、スライドボード１１のサイズを各々Ｈｅ７００×Ｗｅ５３０ｍｍサイズの３枚構成としたことが特徴である。
【０１１２】
また、本実施例５においては、収納庫１Ｇの横幅がＷ１６００ｍｍと長いため、図１８に示すように、収納庫１Ｇの内部中央部付近に、収納庫１Ｇ自体の構造補強のために縦方向に平板状の補強材３１を取り付けるとともに、高さ方向中央部に左右一枚ずつの横補強材３４を配置している。
【０１１３】
本実施例５の収納庫１Ｇの場合においても、実施例１の場合と同様なペントレイ３、取手１５を備える構成とすることもできる。
【０１１４】
また、図１２に示すように、セキュリティーのため錠３２及び鍵３３を配置する構成とすることもできる。
【０１１５】
本実施例５の収納庫１Ｇによれば、実施例１の収納庫１の場合と同様な効果を発揮させることができる。
【０１１６】
また、収納庫１Ｇを例えばオフィス用のキャビネットタイプの収納庫の上に載せるような使用態様の基に、３枚のスライドボード１１によって横長で広面積の筆記面を確保することが可能となる。
【０１１７】
更に、補強材３１、補強材３１、横補強材３４を備えることから、収納庫１Ｇ自体を頑強な構造とし、かつ、物品収納の便宜を図ることができる。
【０１１８】
図１８は、本実施例５の変形例である収納庫１Ｈを示すものであり、この収納庫１Ｈは実施例５の収納庫１Ｇと同様な構成であるが、実施例５の収納庫１Ｇの構成に加えて、いずれかのスライドボード１１の表面に例えば社員等の１日の行動予定表用の罫引き部２３を施したことが特徴である。
【０１１９】
この収納庫１Ｈにおいても、既述した場合と同様なペントレイ３、取手１５を備える構成とすることができる。
【０１２０】
また、図１２に示すように、セキュリティーのため錠３２及び鍵３３を配置する構成とすることもできる。
【０１２１】
なお、変形例の収納庫１Ｈの組み立て工程は、実施例１の収納庫１の場合と同様である。
【０１２２】
変形例の収納庫１Ｈによれば、罫引き部２３を付加した構成としているので、業務内容、目的に対応した種々の様式を記することにより、会社業務等の円滑遂行に資することができる。
【０１２３】
なお、上述した各実施例の収納庫及び各変形例の収納庫のサイズ及び各スライドボード１１のサイズは、上述した各サイズに限定されず、種々のサイズに変更して実施できることは言うまでもない。
【０１２４】
前記したように、本考案においては、収納庫本体の材質をスチール製に限定するものではなく、この他の各種材質、例えば、木製、樹脂製等の収納庫本体でも良いことは勿論である。また、本考案における収納庫に取り付けられるスライドボードの数は、１枚又は２以上複数枚として構成できることは勿論である。
【産業上の利用可能性】
【０１２５】
本考案の収納庫は、上述したスチール製の収納庫の他、例えば家庭等で多く使用される前面開口式の木製の収納庫、合成樹脂材性の収納庫等に広範に適用可能である。
【符号の説明】
【０１２６】
１    収納庫
１Ａ  収納庫
１Ｂ  収納庫
１Ｃ  収納庫
１Ｄ  収納庫
１Ｅ  収納庫
１Ｆ  収納庫
１Ｇ  収納庫
１Ｈ  収納庫
２    収納庫本体
２ａ  枠板
２ｂ  枠板
３    ペントレイ
４    マーカーペン
５    イレーザー
１１    スライドボード
１２    スライドボード本体
１２ａ  芯材
１２ｂ  表面材
１２ｃ  裏面材
１３    枠材
１３ａ  抜孔
１４    コーナーパーツ
１５    取手
１６    上部スライドパーツ
１６ａ  端面
１６ｂ  貫通孔付突出部
１７    下部スライドパーツ
１７ａ  端面
１８    固定ネジ
２１    上レール
２２    下レール
２３    罫引き部
３１    補強材
３２    錠
３３    鍵
３４    横補強材
【図１】
0003183755.tif 000003
【図２】
0003183755.tif 000004
【図３】
0003183755.tif 000005
【図４】
0003183755.tif 000006
【図５】
0003183755.tif 000007
【図６】
0003183755.tif 000008
【図７】
0003183755.tif 000009
【図８】
0003183755.tif 000010
【図９】
0003183755.tif 000011
【図１０】
0003183755.tif 000012
【図１１】
0003183755.tif 000013
【図１２】
0003183755.tif 000014
【図１３】
0003183755.tif 000015
【図１４】
0003183755.tif 000016
【図１５】
0003183755.tif 000017
【図１６】
0003183755.tif 000018
【図１７】
0003183755.tif 000019
【図１８】
0003183755.tif 000020